(57)【要約】【課題】  画像データを圧縮単位毎でなく画面単位で書き換える。【解決手段】  ビデオデコーダは、新たな圧縮画像データを記録媒体に記録するとともに、記録媒体からＧＯＰ−３の画像Ｂ０，Ｂ１，Ｂ２，Ｂ３を読み出してデコードした後、画像Ｂ４，Ｐ５，Ｂ６・・・をさらにデコードして復元する。すなわち、ビデオデコーダは、画像Ｂ４，Ｐ５，Ｂ６・・・の圧縮画像データだけでは、これらの画像を復元することはできないので、上述したように画像Ｂ０，Ｂ１，Ｉ２，Ｂ３に基づいてデコードされた復元された上記画像Ｂ４，Ｐ５，Ｂ６・・・を用いて、上記画像Ｂ４，Ｐ５，Ｂ６・・・を再びデコードする。【選択図】   図５
2008278520.tif 000002
【特許請求の範囲】
【請求項１】
相関のある複数の画面の画像データを圧縮して、上記複数の画面が圧縮された圧縮単位毎に圧縮画像データを出力する画像圧縮装置において、
画像データを圧縮して圧縮単位を生成する第１の圧縮手段と、
圧縮単位の画面の一部が欠落するときに、上記画面の一部が欠落する元の圧縮単位を新たな圧縮単位に構成する圧縮単位構成手段と
を備える画像圧縮装置。
【請求項２】
上記圧縮単位構成手段は、
上記別の圧縮単位に置き換えることによって上記別の圧縮単位の直後の圧縮単位の画面の一部が欠落するときに、上記画面の一部が欠落する元の圧縮単位を伸張して元の画像データを生成する伸張手段と、
上記伸張手段で生成された元の画像データを用いて、上記画面の一部を欠落させて上記元の圧縮単位を新たな圧縮単位に構成するように圧縮する第２の圧縮手段とを備えること
を特徴とする請求項１に記載の画像圧縮装置。
【請求項３】
上記伸張手段により上記画面の一部が欠落する元の圧縮単位を伸張して元の画像データを生成する処理と、上記第２の圧縮手段により上記元の画像データを用いて上記画面の一部を欠落させて上記元の圧縮単位を新たな圧縮単位に構成するように圧縮する処理とを時分割で交互に行うこと
を特徴とする請求項２に記載の画像圧縮装置。
【請求項４】
上記伸張手段は、上記元の圧縮単位について、上記第２の圧縮手段による圧縮する速度よりも高速に伸張すること
を特徴とする請求項３に記載の画像圧縮装置。
【請求項５】
上記第２の圧縮手段は、上記伸張手段で生成される元の画像データのデータ量に応じた圧縮率で、上記元の圧縮単位を圧縮すること
を特徴とする請求項２に記載の画像圧縮装置。
【請求項６】
相関のある複数の画面の画像データを圧縮して、上記複数の画面が圧縮された圧縮単位毎に圧縮画像データを出力する画像圧縮方法において、
画像データを圧縮して圧縮単位を生成する第１の圧縮ステップと、
圧縮単位の画面の一部が欠落するときに、上記画面の一部が欠落する元の圧縮単位を新たな圧縮単位に構成する圧縮単位構成ステップと
を備える画像圧縮方法。
【請求項７】
上記圧縮単位構成ステップは、
上記別の圧縮単位に置き換えることによって上記別の圧縮単位の直後の圧縮単位の画面の一部が欠落するときに、上記画面の一部が欠落する元の圧縮単位を伸張して元の画像データを生成する伸張ステップと、
上記伸張ステップで生成された元の画像データを用いて、上記画面の一部を欠落させて上記元の圧縮単位を新たな圧縮単位に構成するように圧縮する第２の圧縮ステップとを備えること
を特徴とする請求項６に記載の画像圧縮方法。
【請求項８】
上記伸張ステップにより上記画面の一部が欠落する元の圧縮単位を伸張して元の画像データを生成する処理と、上記第２の圧縮ステップにより上記元の画像データを用いて上記画面の一部を欠落させて上記元の圧縮単位を新たな圧縮単位に構成するように圧縮する処理とを時分割で交互に行うこと
を特徴とする請求項７に記載の画像圧縮方法。
【請求項９】
上記伸張ステップは、上記元の圧縮単位について、上記第２の圧縮ステップによる圧縮する速度よりも高速に伸張すること
を特徴とする請求項８に記載の画像圧縮方法。
【請求項１０】
上記第２の圧縮ステップは、上記伸張ステップで生成される元の画像データのデータ量に応じた圧縮率で、上記元の圧縮単位を圧縮すること
を特徴とする請求項７に記載の画像圧縮方法。
【発明の詳細な説明】
【技術分野】
【０００１】
本発明は、光ディスク記録再生装置に用いて好適な画像圧縮装置及び画像圧縮方法に関する。
【背景技術】
【０００２】
通常、光ディスクには、ＭＰＥＧ（Moving Picture Experts Group）方式によって圧縮された画像信号が記録されている。ＭＰＥＧ方式では、ＧＯＰ（Group Of Picture）という１５枚程のフレームからなる画像信号を一まとまりの処理単位としており、画像信号は上記ＧＯＰ毎にエンコードされる。
【０００３】
１つのＧＯＰには、図１に示すように、Ｉピクチャ（Intra-Picture ：フレーム内符号化画像）と、Ｐピクチャ（Predictive-Picture：フレーム間順方向予測符号化画像）と、Ｂピクチャ（Bidirectionally Predictive-Picture：双方向予測符号化画像）とがある。Ｉピクチャ（画像Ｉ２）は、ＧＯＰの独立性を保つためにあり、その画面全体が符号化されるものである。Ｐピクチャ（画像Ｐ５，Ｐ８）は、Ｉピクチャ又はＰピクチャから順方向に予測符号化されるものである。
【０００４】
なお、ＩピクチャとＰピクチャは、原画像と同じ順序で符号化される。また、Ｂピクチャ（画像Ｂ０，Ｂ１，Ｂ３，Ｂ４，Ｂ６，Ｂ７）は、Ｉピクチャ又はＰピクチャから双方向に予測符号化される。
【０００５】
逆に、圧縮符号化された画像信号を復号する場合は、図１に示すように、画像Ｉ２は単独でデコードされるが、画像Ｉ２以外の画像はそれ自身の画像信号のみではデコードされない。
【０００６】
【特許文献１】特開平８−３７６４０号公報
【特許文献２】特開平５−１７６２８４号公報
【発明の開示】
【発明が解決しようとする課題】
【０００７】
ところが、Ｉピクチャを含むＧＯＰの前半部分が欠落すると、そのＧＯＰの後半のＰピクチャやＢピクチャがデコードすることができなくなる。
【０００８】
例えば図示しない記録媒体に、図２に示すように、ＧＯＰ−１，ＧＯＰ−２，ＧＯＰ−３とエンコードされた画像信号が記録されているものとする。ここで、ＧＯＰ−１の画像Ｐ５からＧＯＰ−３の画像Ｂ３までの画像信号を新しいＧＯＰ−Ｎの画像信号に書き換える場合について考えてみる。
【０００９】
図３に示すように、画像Ｂ６，Ｂ７，Ｐ８が欠落したＧＯＰ−１Ｘでは、Ｉピクチャまでは欠落していないので、上記欠落した画像以外のものは通常どおりデコードされる。
【００１０】
しかし、前半部分の画像Ｂ０，Ｂ１，Ｉ２，Ｂ３が欠落したＧＯＰ−３Ｘでは、その前半部分のＩピクチャも欠落しているので、欠落した以外の画像もデコードできなくなってしまう。
【００１１】
すなわち、ＭＰＥＧ方式によって圧縮符号化された画像信号が記録媒体に記録されているときに、さらに圧縮符号化された他の画像信号を上書きする場合においては、ＧＯＰ単位で画像信号を上書きするのであれば何等問題はないが、上書きした画像信号によって他のＧＯＰのＩピクチャの画像信号が欠落すると、欠落していない画像信号までデコードできなくなる問題が生じた。
【００１２】
このような問題を回避するために、ＧＯＰ毎に画像信号を書き換えることが考えられるが、約１５枚毎にまとめて書き換えなければならないため大変不都合である。また、１ＧＯＰ毎に画像信号が圧縮されているため、画面毎に書き換えることはできない。
【００１３】
本発明は、このような実情に鑑みて提案されたものであり、画像データを圧縮単位毎でなく画面単位で書き換えることができる画像圧縮装置及び画像圧縮方法を提供することを目的とする。
【課題を解決するための手段】
【００１４】
本発明では、圧縮単位の画面の一部が欠落するときに、上記画面の一部が欠落する元の圧縮単位を新たな圧縮単位に構成することにより、上述した課題を解決する。
【００１５】
すなわち、本発明に係る画像圧縮装置は、相関のある複数の画面の画像データを圧縮して、上記複数の画面が圧縮された圧縮単位毎に圧縮画像データを出力する画像圧縮装置において、画像データを圧縮して圧縮単位を生成する第１の圧縮手段と、圧縮単位の画面の一部が欠落するときに、上記画面の一部が欠落する元の圧縮単位を新たな圧縮単位に構成する圧縮単位構成手段とを備えるものである。
【００１６】
上記圧縮単位構成手段としては、上記別の圧縮単位に置き換えることによって上記別の圧縮単位の直後の圧縮単位の画面の一部が欠落するときに、上記画面の一部が欠落する元の圧縮単位を伸張して元の画像データを生成する伸張手段と、上記伸張手段で生成された元の画像データを用いて、上記画面の一部を欠落させて上記元の圧縮単位を新たな圧縮単位に構成するように圧縮する第２の圧縮手段とを備えることが好ましい。
【００１７】
さらに、上記伸張手段により上記画面の一部が欠落する元の圧縮単位を伸張して元の画像データを生成する処理と、上記第２の圧縮手段により上記元の画像データを用いて上記画面の一部を欠落させて上記元の圧縮単位を新たな圧縮単位に構成するように圧縮する処理とを時分割で交互に行うことが好ましい。
【００１８】
上記伸張手段は、上記元の圧縮単位について、上記第２の圧縮手段による圧縮する速度よりも高速に伸張することが好ましい。
【００１９】
上記第２の圧縮手段は、上記伸張手段で生成される元の画像データのデータ量に応じた圧縮率で、上記元の圧縮単位を圧縮することが好ましい。
【００２０】
本発明に係る画像圧縮方法は、相関のある複数の画面の画像データを圧縮して、上記複数の画面が圧縮された圧縮単位毎に圧縮画像データを出力する画像圧縮方法において、画像データを圧縮して圧縮単位を生成する第１の圧縮ステップと、圧縮単位の画面の一部が欠落するときに、上記画面の一部が欠落する元の圧縮単位を新たな圧縮単位に構成する圧縮単位構成ステップとを備えるものである。
【００２１】
上記圧縮単位構成ステップとしては、上記別の圧縮単位に置き換えることによって上記別の圧縮単位の直後の圧縮単位の画面の一部が欠落するときに、上記画面の一部が欠落する元の圧縮単位を伸張して元の画像データを生成する伸張ステップと、上記伸張ステップで生成された元の画像データを用いて、上記画面の一部を欠落させて上記元の圧縮単位を新たな圧縮単位に構成するように圧縮する第２の圧縮ステップとを備えることが好ましい。
【００２２】
さらに、上記伸張ステップにより上記画面の一部が欠落する元の圧縮単位を伸張して元の画像データを生成する処理と、上記第２の圧縮ステップにより上記元の画像データを用いて上記画面の一部を欠落させて上記元の圧縮単位を新たな圧縮単位に構成するように圧縮する処理とを時分割で交互に行うことが好ましい。
【００２３】
上記伸張ステップは、上記元の圧縮単位について、上記第２の圧縮ステップによる圧縮する速度よりも高速に伸張することが好ましい。
【００２４】
上記第２の圧縮ステップは、上記伸張ステップで生成される元の画像データのデータ量に応じた圧縮率で、上記元の圧縮単位を圧縮することが好ましい。
【発明の効果】
【００２５】
本発明に係る画像圧縮装置及び画像圧縮方法によれば、画像データを圧縮単位毎でなく画面単位で書き換えることができる
【発明を実施するための最良の形態】
【００２６】
以下、本発明を実施するための最良の形態を図面を参照しながら詳細に説明する。
【００２７】
本発明は、例えば図４に示す構成の光ディスク記録再生装置１に適用することができる。
【００２８】
第１の実施の形態に係る光ディスク記録再生装置１は、図４に示すように、画像信号をディジタル化するＡ／Ｄコンバータ１２と、Ａ／Ｄコンバータ１２からの画像データ又は他の画像データを出力する第１の切換回路１３と、画像データを圧縮するビデオエンコーダ１４と、エラー訂正コードを付加するＥＣＣエンコーダ１５と、８／１６変換方式の変調処理を行う変調回路１６と、レーザ光の照射によりデータの記録再生を行う光ピックアップ１８とを備える。
【００２９】
Ａ／Ｄコンバータ１２は、入力端子１１を介して供給される画像信号をディジタル化して、画像データを第１の切換回路１３の端子ａに供給する。
【００３０】
第１の切換回路１３は、後述するコントローラ２７によって端子ａ又は端子ｂに切換設定されることによって、端子ａ又は端子ｂに入力される画像データをビデオエンコーダ１４に供給する。なお、
端子ｂは、後述するビデオデコーダ２２の出力側に接続している。
【００３１】
ビデオエンコーダ１４は、ＭＰＥＧ（Moving Picture Experts Group）方式の予測符号化によって、１５枚程のフレームからなる画像データを処理単位としたＧＯＰ（Group Of Picture）毎に圧縮し、この圧縮画像データをＥＣＣエンコーダ１５に供給する。ＥＣＣエンコーダ１５は、ビデオエンコーダ１４からの圧縮画像データを一時的にメモリ２６に格納し、ＥＣＣブロック毎にエラー訂正コードのエンコードを行う。ＥＣＣエンコーダ１５は、かかるエンコードされた圧縮画像データをメモリ２６から読み出して変調回路１６に供給する。
【００３２】
変調回路１６は、圧縮画像データを８／１６変換方式の変調処理を行って光ピックアップ１８に供給する。光ピックアップ１８は、変調回路１６から供給された圧縮画像データに基づいてレーザパワーを制御して、この圧縮画像データを光ディスク３０に記録する。
【００３３】
したがって、上記光ディスク記録再生装置１は、記録モードのときは、第１の切換回路１３を端子ａに設定することによって、入力端子１１を介して入力される画像信号を光ディスク３０に記録させることができる。
【００３４】
また、上記光ディスク記録再生装置１は、図４に示すように、復調処理を行う復調回路２０と、エラー訂正を行うＥＣＣデコーダ２１と、圧縮されたデータを元の画像データに伸長するビデオデコーダ２２と、ビデオデコーダ２２からの画像データ又は他の画像データを出力する第２の切換回路２３と、画像データをアナログ化するＤ／Ａコンバータ２４と、ＥＣＣエンコード又はＥＣＣデコードの際に圧縮画像データを記憶するメモリ２６と、全体を制御するコントローラ２７を備える。
【００３５】
復調回路２０は、光ピックアップ１８から読み出された圧縮画像データに８／１６変換方式の復調処理をして、この圧縮画像データをＥＣＣデコーダ２１に供給する。ＥＣＣデコーダ２１は、復調回路２０からの圧縮画像データをメモリ２６に格納して、ＥＣＣブロック毎にエラー訂正コードのデコードを行う。ＥＣＣデコーダ２１は、エラー訂正コードのデコードされた圧縮画像データをメモリ２６から読み出してビデオデコーダ２２に供給する。
【００３６】
ビデオデコーダ２２は、ＭＰＥＧ方式によって圧縮された圧縮画像データを伸長して元の画像データに戻し、この画像データを第２の切換回路２３の端子ｄに供給する。
【００３７】
第２の切換回路２３は、コントローラ２７により切換制御され、端子ｃ又は端子ｄに入力される画像データをＤ／Ａコンバータ２４に供給する。なお、端子ｃは、上述のＡ／Ｄコンバータ１２に接続している。Ｄ／Ａコンバータ２４は、第２の切換回路２３からの画像データをアナログ化して、画像信号を出力端子２５を介して出力する。
【００３８】
したがって、コントローラ２７は、再生モードのときは、第２の切換回路２３を端子ｄに設定することによって、光ディスク３０から読み出して伸長した画像信号を出力端子２５を介して出力することができる。
【００３９】
つぎに、光ディスク３０に記録されている圧縮画像データを書き換えるときの編集モードついて説明する。
【００４０】
上記光ディスク記録再生装置１は、編集モードの場合は、光ディスク３０に既に記録されている圧縮画像データを読み出しながら新たな圧縮画像データを記録することを時分割で交互に行う。ここで、新たに記録された圧縮画像データの記録終了位置が既に記録されている圧縮画像データのＧＯＰの途中にあるときは、上記記録終了位置以降に記録されていた圧縮画像データを再エンコードして記録し直すようになっている。
【００４１】
具体的には、コントローラ２７は、編集モードになると、第２の切換回路２３を端子ｃに設定する。このとき、出力端子２５に図示しないモニタを接続することによって、利用者は、入力端子１１を介して入力される画像を上記モニタで確認することができ、新しく光ディスク３０に書き換える部分の画像を用意することができる。このとき、利用者は、光ディスク３０に圧縮画像データを挿入する位置（例えば図５に示すＧＯＰ−１Ｘの画像Ｐ５の後）を予め設定する。なお、圧縮画像データを挿入する位置としては、挿入によって画像の欠落が生じても他の画像をデコードすることができる位置が望ましい。例えば図２に示すＧＯＰ−１の場合においては、画像Ｉ２，Ｐ５，Ｐ８の後が望ましい。編集の準備が終了すると、コントローラ２７は、第１の切換回路１３を端子ａに設定して、編集を開始させる。
【００４２】
最初に、光ピックアップ１８は、上記光ディスク３０に記録されている所定数のＥＣＣブロックの圧縮画像データを例えば２倍速の速さで読み出し、復調回路２０を介して、ＥＣＣブロックからなる圧縮画像データをＥＣＣデコーダ２１に供給する。ＥＣＣデコーダ２１は、復調回路２０から供給された圧縮画像データをメモリ２６に記憶させ、メモリ２６に記憶された圧縮画像データに誤り訂正処理を施す。
【００４３】
コントローラ２７は、メモリ２６に記憶されている所定数のＥＣＣブロックを読み出させる。ＥＣＣデコーダ２１は、メモリ２６から読み出された所定数のＥＣＣブロックからなる圧縮画像データをビデオデコーダ２２に供給する。ビデオデコーダ２２は、供給された圧縮画像データを伸張して元の画像データに復元して出力する。
【００４４】
一方、ＥＣＣエンコーダ１５は、ビデオエンコーダ１４から供給された圧縮画像データをメモリ２６に記憶させ、メモリ２６に記憶された圧縮画像データに誤り訂正符号を付加して、ＥＣＣブロックを生成する。
【００４５】
コントローラ２７は、メモリ２６に記憶されている上記所定数のＥＣＣブロックを読み出させる。ＥＣＣエンコーダ１５は、メモリ２６から読み出された所定数のＥＣＣブロックからなる圧縮画像データを変調回路１６を介して光ピックアップ１８に供給する。光ピックアップ１８は、例えば２倍速の速さで圧縮画像データを光ディスク３０に書き込む。
【００４６】
このように、光ピックアップ１８は、所定数のＥＣＣブロック毎に、上述の圧縮画像データの読み出しや圧縮画像データの記録を時分割で交互に繰り返し行っている。
【００４７】
ここで、上記光ディスク記録再生装置１は、例えば図２に示すように、光ディスク３０に新たに記録された圧縮画像データであるＧＯＰ−Ｎの記録終了位置（画像Ｐ１１）が、既に光ディスク３０に記録されていたＧＯＰ−３の途中にあるときは、ＧＯＰ−３の画像Ｂ４，Ｐ５，Ｂ６・・・を再エンコードして、図５に示すように、新たなＧＯＰであるＧＯＰ−３Ｎを生成するようになっている。
【００４８】
具体的には、コントローラ２７は、光ピックアップ１８等を制御して、新たな圧縮画像データであるＧＯＰ−Ｎを記録すると共に、図２に示すＧＯＰ３−３の画像Ｂ０，Ｂ１，Ｉ１，Ｂ３のデコードも行う。ＧＯＰ−Ｎの記録が終了すると、ＧＯＰ−Ｎの直前のＧＯＰ−１Ｘは画像Ｐ５以降が欠落した新たなＧＯＰとして構成される。
【００４９】
コントローラ２７は、ＧＯＰ−Ｎの記録終了後、第１の切換回路１３を端子ｂに設定するとともに、図２に示す画像Ｂ４，Ｐ５，Ｂ６・・・の圧縮画像データを読み出すように光ピックアップ１８を制御する。光ピックアップ１８から読み出された圧縮画像データは、復調回路２０，ＥＣＣデコーダ２１を介してビデオデコーダ２２に供給される。
【００５０】
ビデオデコーダ２２は、上述の新たな圧縮画像データの記録とともに読み出してデコードしていたＧＯＰ−３の画像Ｂ０，Ｂ１，Ｂ２，Ｂ３に基づいて、画像Ｂ４，Ｐ５，Ｂ６・・・を復元する。すなわち、ビデオデコーダ２２は、上記読み出された画像Ｂ４，Ｐ５，Ｂ６・・・の圧縮画像データだけでは、これらの画像を復元することはできないので、上述したように圧縮画像データの記録とともに読み出して復元された画像Ｂ０，Ｂ１，Ｉ２，Ｂ３に基づいて、上記画像Ｂ４，Ｐ５，Ｂ６・・・を復元している。そして、ビデオデコーダ２２は、画像Ｂ４，Ｐ５，Ｂ６・・・の画像データを第１の切換回路１３を介してビデオエンコーダ１４に供給する。
【００５１】
ビデオエンコーダ１４は、ＧＯＰ−３の画像Ｂ４，Ｐ５，Ｂ６・・・を再びエンコードして、図５に示すように、新たにＧＯＰ−３Ｎからなる圧縮画像データを生成する。
【００５２】
すなわち、新しくＧＯＰ−Ｎを書き込むことによって、その直前のＧＯＰ−１Ｘ、さらにその直後のＧＯＰ−３Ｎも新たなＧＯＰとして構成されることになる。
【００５３】
そして、ビデオエンコーダ１４は、ＧＯＰ−３Ｎの圧縮画像データをＥＣＣエンコーダ１５，変調回路１６を介して、光ピックアップ１８に供給する。光ピックアップ１８は、上記ＧＯＰ−３Ｎの圧縮画像データを光ディスク３０に記録して、編集処理を終了する。
【００５４】
以上のように、上記光ディスク記録再生装置１は、新たに記録された圧縮画像データの記録終了位置が既に記録されている圧縮画像データのＧＯＰの途中にあるときは、上記記録終了位置以降に記録されていた圧縮画像データを再エンコードして新しくＧＯＰを記録する。すなわち、上記光ディスク記録再生装置１は、データの欠けたＧＯＰを再エンコードして新たなＧＯＰを生成することによって、ＧＯＰの一部の画像が欠けることによって他のＧＯＰの画像までも復元することができなくなることを回避して、ＭＰＥＧ方式によって圧縮された圧縮画像データの編集処理を何度も行うことができる。
【００５５】
また、上記光ディスク記録再生装置１は、利用者に図５に示すＧＯＰ−１Ｘの画像Ｐ５の後を選択させてその箇所から新たな圧縮画像データの書き込み処理を行ったので、ＧＯＰ−１Ｘの画像Ｂ０〜Ｐ５の画像も有効に復元することができる。
【００５６】
換言すると、上記光ディスク記録再生装置１は、既に構成されている複数のＧＯＰの一部を別のＧＯＰ−Ｎに置き換えるときにＧＯＰの画面の一部が欠落する場合であっても、上記画面の一部が欠落する元のＧＯＰ−１，ＧＯＰ−３を新たなＧＯＰ−１Ｘ，ＧＯＰ−３Ｎに構成することによって、再生時には画面の欠落のない正常なデコード処理を行うことができる。
【００５７】
なお、ビデオエンコーダ１４は、新しく書き込まれるＧＯＰ−Ｎによって欠落するＧＯＰ−３の画面のデータ量に応じた圧縮率で、ＧＯＰ−３Ｎをエンコードしてもよい。すなわち、ビデオエンコーダ１４は、欠落する画面が多いときは圧縮率を比較的低くしてエンコードを行い、欠落する画面が少ないときは圧縮率を比較的高くしてエンコードを行ってもよい。これにより、元のＧＯＰ−３の最終画面の位置と新たなＧＯＰ−３Ｎの最終画面の位置を合わせることができ、再生時には円滑なデコード処理を行うことができる。
【００５８】
さらに、ＥＣＣエンコーダ１５におけるＥＣＣエンコード処理や、ＥＣＣデコーダ２１におけるＥＣＣデコード処理において、それぞれ独自のメモリを使わず、共通のメモリ２６を使用しているので、従来に比してメモリによる基盤占有面積を小さくするとともに、生産コストの削減も図ることができる。
【００５９】
つぎに、第２の実施の形態に係る光ディスク記録再生装置について説明する。なお、第１の実施の形態と同じ回路については同じ符号を付け、詳細な説明は省略するものとする。
【００６０】
光ディスク記録再生装置１Ａは、図６に示すように、上述の光ディスク記録再生装置１の第２の切換回路２３の代わりに、メモリ２８を設けたものである。
【００６１】
メモリ２８には、Ａ／Ｄコンバータ１２からの画像データが書き込まれ、また、ビデオデコーダ２２からの画像データも書き込まれる。従って、メモリ２８には、入力端子１１を介して入力される記録画像の画像データとビデオデコーダ２２からの再生画像の画像データとが記憶される。これらの画像データは、コントローラ２７によって読み出され、Ｄ／Ａコンバータ２４に供給される。
【００６２】
したがって、上記光ディスク記録再生装置１Ａは、これから新しく上書きをする画像データと既に光ディスク３０に記録されている画像データとをメモリ２８に記憶させて読み出すことができるので、図７に示すように、出力端子２５を介して接続されているモニタに記録画像と再生画像とを同時表示させることができ、利用者が容易に編集作業を行うことができるようにすることができる。
【００６３】
なお、本発明は、上述の実施の形態に限定されるものではなく、特許請求の範囲に記載された技術的思想の範囲内において、種々の設計上の変更が可能であるのは言うまでもない。例えば本実施の形態では、圧縮画像データを光ディスク３０に記録する場合を例に挙げて説明したが、その他磁気ディスク，磁気テープ，半導体メモリ等の記録媒体を適用してもよい。
【図面の簡単な説明】
【００６４】
【図１】ＭＰＥＧ方式の画像圧縮において得られたＧＯＰの構成を示す図である。
【図２】記録媒体に新しいＧＯＰを書き込む場合を説明するための図である。
【図３】記録媒体に新しいＧＯＰを書き込む場合を説明するための図である。
【図４】本発明を適用した光ディスク記録再生装置の具体的な構成を示すブロック図である。
【図５】図４に示す光ディスク記録再生装置により記録媒体に記録されたＧＯＰの構成を示す図である。
【図６】他の実施の形態に係る光ディスク記録再生装置の具体的な構成を示すブロック図である。
【図７】図６に示す光ディスク記録再生装置から出力された映像を示す図である。
【符号の説明】
【００６５】
１３  第１の切換回路、１４  ビデオエンコーダ、１８  光ピックアップ、２１  ＥＣＣデコーダ、２２  ビデオエンコーダ、２３  第２の切換回路
【図１】
2008278520.tif 000003
【図２】
2008278520.tif 000004
【図３】
2008278520.tif 000005
【図４】
2008278520.tif 000006
【図５】
2008278520.tif 000007
【図６】
2008278520.tif 000008
【図７】
2008278520.tif 000009
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
相関のある複数の画面の画像データを圧縮処理するエンコード手段と、
上記エンコード手段により圧縮処理されたデータを記録する記録手段と、
上記記録手段により記録された画像データを読み出す読み出し手段と、
上記読み出し手段により読み出された画像データを伸張処理するデコード手段とを有し、
上記デコード手段は、上記記録手段により新たな画像データが記録されることにより既に記録されていた画像データが欠落する際に、上記読み出し手段によって読み出された上記相関のある複数の画面の欠落する画面を伸張処理すると共に、該欠落する画面に基づき、上記相関のある複数の画面の残りの画面を復元し、
上記エンコード手段は、上記デコード手段により復元された上記残りの画面の画像データを圧縮処理し、
上記書き込み手段は、上記エンコード手段により圧縮処理された上記残りの画面の画像データを記録することを特徴とする記録再生装置。
【請求項２】
上記読み出し手段は、上記相関のある複数の画面の欠落する画面が欠落することにより上記相関のある複数の画面の残りの画面が復元できない場合に、該残りの画面を読み出し、残りの画面が復元できる場合は、該残りの画面の上記読み出しを行わないことを特徴とする請求項１記載の記録再生装置。
【手続補正３】
【補正対象書類名】明細書
【補正対象項目名】０００１
【補正方法】変更
【補正の内容】
【０００１】
本発明は、相関のある複数の画面の画像データを圧縮して記録する記録再生装置に関する。
【手続補正４】
【補正対象書類名】明細書
【補正対象項目名】００１３
【補正方法】変更
【補正の内容】
【００１３】
本発明は、このような実情に鑑みて提案されたものであり、相関のある複数の画面の画像データを圧縮して記録する際に、新たな画像データが記録されることにより、既に記録されていた画像データが欠落する画面と相関のある他の画面の画像データがデコードできなくなることを回避できるようにした記録再生装置を提供することを目的とする。
【手続補正５】
【補正対象書類名】明細書
【補正対象項目名】００１５
【補正方法】変更
【補正の内容】
【００１５】
すなわち、本発明に係る記録再生装置は、相関のある複数の画面の画像データを圧縮処理するエンコード手段と、上記エンコード手段により圧縮処理されたデータを記録する記録手段と、上記記録手段により記録された画像データを読み出す読み出し手段と、上記読み出し手段により読み出された画像データを伸張処理するデコード手段とを有し、上記デコード手段は、上記記録手段により新たな画像データが記録されることにより既に記録されていた画像データが欠落する際に、上記読み出し手段によって読み出された上記相関のある複数の画面の欠落する画面を伸張処理すると共に、該欠落する画面に基づき、上記相関のある複数の画面の残りの画面を復元し、上記エンコード手段は、上記デコード手段により復元された上記残りの画面の画像データを圧縮処理し、上記書き込み手段は、上記エンコード手段により圧縮処理された上記残りの画面の画像データを記録することを特徴とする。
【手続補正６】
【補正対象書類名】明細書
【補正対象項目名】００１６
【補正方法】変更
【補正の内容】
【００１６】
この記録再生装置において、上記読み出し手段は、上記相関のある複数の画面の欠落する画面が欠落することにより上記相関のある複数の画面の残りの画面が復元できない場合に、該残りの画面を読み出し、残りの画面が復元できる場合は、該残りの画面の上記読み出しを行わないものとする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
本発明に係る記録再生装置によれば、相関のある複数の画面の画像データを圧縮して記録する際に、新たな画像データが記録されることにより、既に記録されていた画像データが欠落する画面と相関のある他の画面の画像データがデコードできなくなることを回避できる。